(57)【特許請求の範囲】
【請求項１】
装置中央に配置されて、周縁へと物品を分散させる円錐形状の分散フィーダと、その周囲に放射状に配列されて、前記分散フィーダから供給される前記物品をさらに周縁へと搬送する複数の放射フィーダとを備えた分散供給装置であって、底面の直径が前記分散フィーダの直径よりも小さく、かつ、前記物品を斜面に滞留させない頂角に設定された円錐体を前記分散フィーダの頭頂部に移動自在に被せて、前記分散フィーダの振動によって前記円錐体を前記分散フィーダの頭頂部を中心として旋回させるようにしたことを特徴とする分散供給装置。
【請求項２】
前記頭頂部には、突起が設けられ、その上に被せられた前記円錐体は、前記突起を内側に抱いた状態で該突起を中心として傾斜状態で旋回するものである請求項１に記載の分散供給装置。
【請求項３】
前記円錐体の底面の直径は、前記突起を内側に抱いた状態で前記分散フィーダからはみ出さない範囲に設定されている請求項２に記載の分散供給装置。
【請求項４】
前記円錐体の頂角は、前記分散フィーダ上で傾斜状態となった円錐体の上側斜面に物品が滞留しない角度に設定されている請求項１乃至３の何れかに記載の分散供給装置。
【請求項５】
前記円錐体は、前記分散フィーダ上に堆積した物品に押し負けない程度の質量である請求項１乃至４の何れかに記載の分散供給装置。  
【請求項６】
前記円錐体は、ポリウレタンシートで形成されたものである請求項１乃至５の何れかに記載の分散供給装置。
【請求項７】
前記物品は、前記分散フィーダの頭頂部に向けて上方から供給される請求項１乃至６の何れかに記載の分散供給装置。
【請求項８】
請求項１乃至７の何れかに記載の分散供給装置を上段に配置し、下段にその分散供給装置を取り囲むように複数のホッパを配列して、前記分散供給装置から各ホッパへ物品を個別に供給するようにしたことを特徴とする組合せ計量装置。
【請求項９】
請求項８の組合せ計量装置において、前記各放射フィーダは、電磁バイブレータと、その上に取り付けられる扇状のトラフとを備え、前記各トラフは、振動によって前記物品を搬送する搬送面と、該搬送面の両サイドに形成された側壁とを備え、それらの側壁は、隣のトラフの隣接する側の側壁と上下に非接触で重なって、各トラフがそれぞれの側壁を介して非接触な連鎖状態とされ、さらに前記各トラフの先端部には、前記ホッパの供給口の内側に臨む下り傾斜板が設けられ、前記各トラフの両サイドの側壁は、隣接する各ホッパ間の上方まで延長し、それらの延長部には、前記ホッパの供給口の内側に臨む下り傾斜板がそれぞれ設けられている組合せ計量装置。
【請求項１０】
前記ホッパの供給口の内側には、前記傾斜板から落下してくる物品をホッパ内に案内する漏斗状の囲いが着脱可能に取り付けられている請求項９に記載の組合せ計量装置。
【請求項１１】
前記各囲いは、隣接の囲いと互いの側面で接してリング状に連なるとともに、各側面の上縁は、上下にオーバーラップして稜線を形成し、その稜線と、その上方に位置する前記延長部とは、互いに周方向に所定角度ずれている請求項１０に記載の組合せ計量装置。
【発明の詳細な説明】
【技術分野】
【０００１】
本発明は、物品を分散させながら複数のホッパに物品を個別に供給する分散供給装置とそれを搭載した組合せ計量装置に関する。
【背景技術】
【０００２】
スパーマーケット等では、サラダ用のカット野菜やキャベツの千切り等を袋詰めにした商品が販売されているが、こうした商品は、内容量を一定にするために、組合せ計量装置で一定量に計量されている。
【０００３】
組合せ計量装置は、周知のように、装置中央上部に供給された物品を分散供給装置で複数の経路に分散させた後、各経路の計量ホッパで物品の質量を計量し、得られた各質量を組合せて所定質量となる物品の組合せを選択し、選択された物品を該当する計量ホッパから排出収集することによって所定質量の物品を得るようにしたものである。
【０００４】
ところで、袋詰めにされたカット野菜、特にキャベツの千切りやもやし等のように、長くて絡み易い物品になると、通常の組合せ計量装置に使用される分散供給装置では分散しないことがある。そのため、この種の物品に対しては、下記特許文献に記載の装置を使用して分散させるようにしている。
【先行技術文献】
【特許文献】
【０００５】
【特許文献１】特開５−２５６６９１号公報
【特許文献２】特開２０１４−１３９５５２号公報
【発明の概要】
【発明が解決しようとする課題】
【０００６】
ところが、これらの特許文献に記載の分散供給装置を使用しても、大小二段重ねになった円錐形状の分散フィーダの頭頂部にキャベツの千切りやもやし等が乗ってしまうと、分散フィーダの振動強度を最強にしても、頭頂部に乗った物品は、振動を吸収して簡単には解れず、それに起因して、分散フィーダの周囲に配置された各放射フィーダへの物品の供給量に粗密が生じ、それによって組合せ不成立となる確率が高くなる問題があった。
【０００７】
本発明は、こうした振動を吸収し易い物品であっても、それを確実に分散供給することのできる新たな分散供給装置と、それを搭載した組合せ計量装置を提供することを課題とする。
【課題を解決するための手段】
【０００８】
本発明に係る分散供給装置は、装置中央に配置されて、周縁へと物品を分散させる円錐形状の分散フィーダと、その周囲に放射状に配列されて、分散フィーダから供給された前記物品をさらに周縁へと搬送する複数の放射フィーダとを備えた分散供給装置であって、底辺の直径が前記分散フィーダの直径よりも小さく、かつ、前記物品を斜面に滞留させない頂角に設定された円錐体を前記分散フィーダに移動自在に被せて、前記分散フィーダの振動によって前記円錐体を分散フィーダの頭頂部を中心として旋回させるようにしたことを特徴とする。
【０００９】
この円錐体は、耐摩耗性、衝撃吸収性にも優れた、例えば、ポリウレタンシートのような柔軟な素材、例えば、バンコラン（登録商標）等を使用して、分散フィーダの直径よりも小径の急峻な円錐形状に形成したもので、内部は空洞になっている。これをなだらかな円錐形状の分散フィーダの頭頂部に移動自在に被せておく。この頭頂部には、突起が設けられ、その上に被せられた中空状の円錐体は、その突起を内側に抱いた状態で、その頭頂部を乗り越えずに、その突起を中心として傾斜状態で旋回する。そのため、円錐体の直径は、その突起を内側に抱いた状態、すなわち、円錐体の内側縁部がその突起に引っ掛かった状態で分散フィーダからはみ出さない範囲に設定されている。また、円錐体の質量は、分散フィーダに堆積した物品に押し負けない程度であるのが好ましい。さらに円錐体の頂角は、傾斜状態の円錐体の斜面に物品を滞留させない角度、例えば、鋭角であるのが好ましい。
【００１０】
一方、円錐形状の分散フィーダは、上下方向の螺旋状往復運動を繰り返して、そこに供給された物品を周縁の放射フィーダへと分散させる。そのため、頭頂部に被せられた円錐体は、分散フィーダの振動によって頭頂部の回りを旋回する。その際、円錐体は、分散フィーダの斜面に沿って傾斜姿勢のまま旋回する。そこに物品が上方から供給されると、物品は急斜面となった円錐体に当たってバラケながら分散フィーダ上に堆積する。しかし、円錐体は、分散フィーダの振動によって旋回するため、分散フィーダ上に堆積した物品は旋回する円錐体に押されて下流側の放射フィーダへと漸次排出されていく。そのため、絡み易く、振動を吸収するようなカット野菜、例えば、キャベツの千切り等のような物品であっても、それらは、分散フィーダの振動と、それによって旋回する円錐体とによって、強制的に周囲の放射フィーダへと送り出されていく。したがって、分散フィーダ上には、物品は滞留しなくなる。なお、物品は、分散フィーダの頭頂部に向けて上方から供給されるから、供給された物品は、円錐体の側面に当たってバラケルようになっている。
【００１１】
本発明に係る組合せ計量装置は、前記分散供給装置を上段に配置し、下段にその分散供給装置を取り囲むように複数のホッパを配列して、前記分散供給装置から各ホッパへ物品を個別に供給するようにしたことを特徴とする。
【００１２】
各放射フィーダは、個別に振動する電磁バイブレータと、その上に取り付けられた扇状のトラフとを備える。また、各トラフは、物品を搬送する搬送面と、その両サイドに形成された側壁とを備える。そして、それらの側壁は、隣のトラフの隣接する側壁と上下に非接触に重なり、それを各トラフで繰り返すことによって、各トラフが各々の側壁を介して非接触な連鎖状態となっている。これにより、平面視でドーナツ状の一連の放射フィーダが受け皿となって、中央の分散フィーダから送り出される物品を受け取り、これを下流の各ホッパへと搬送していく。
【００１３】
また、各トラフの先端部には、ホッパの供給口の内側に臨む下り傾斜板が設けられ、そのトラフの両サイドにある側壁は、隣接する各ホッパ間の上方まで延長し、その延長部には、ホッパの供給口に臨む下り傾斜板が設けられている。これにより、物品がトラフの先端部に到達したり、そこを通り越して側壁の延長部まで到達したりしても、物品は、ホッパの供給口に向けて排出される。そのため、キャベツの千切りように、長く絡まった物品であっても、それが落下するときには、傾斜板にガイドされて確実にホッパ内に落下していく。
【００１４】
また、各ホッパの供給口の内側には、前記傾斜板から落下してくる物品をホッパ内に案内する漏斗状の囲いが着脱可能に取り付けられていることを特徴とする。この囲いは、平面視が台形の漏斗状に形成され、しかも、それぞれの囲いは、隣接の囲いと互いの側面で接してリング状に連なっている。そして、各側面の上縁は、上下にオーバーラップして稜線を形成し、その稜線と、その上方に位置する各放射トラフの延長部とは、互いに周方向に所定角度ずれて、物品が延長部の先端部から落下してきても、稜線上には落下せずに、直下のホッパ内に落下するようになっている。これにより、分散供給装置から送られてきた物品は、漏斗状の囲いにも引っ掛からずに確実にホッパ内に供給される。
【発明の効果】
【００１５】
本発明によれば、急峻な円錐体を分散フィーダの頭頂部に移動自在に被せて、それを分散フィーダの振動によって分散フィーダ上を旋回させるようにしたから、振動を吸収する絡み易い物品であっても、それを旋回する円錐体が周囲へ強制的に押し出して、分散フィーダ上に物品を滞留させない効果がある。しかも、円錐体は、分散フィーダ上に被せただけのものであるから、その洗浄も極めて容易である。
【００１６】
また、本発明に係る組合せ計量装置によれば、分散フィーダ上に物品を滞留させないから、その周囲に配置された各放射フィーダへの供給量も平均化され、それにより、組合せ不成立の確率を減少させて、装置の稼働率を向上させることができる。また、物品を滞留させないから、特に生鮮食品に好適な組合せ計量装置とすることができる。
【００１７】
また、各放射トラフの先端部と両サイドの側壁の延長部には、物品をホッパ内に案内する傾斜板を設け、さらに各ホッパの供給口には、ホッパへ投入される物品をホッパ内へ案内する漏斗状の囲いを設けたから、繊維状の絡み易い物品であっても、それをホッパの上縁に付着させずに確実にホッパ内に供給する効果がある。
【００１８】
加えて、下段の各囲いと、上段の各延長部とを互いに周方向に所定角度ずらしたから、物品が延長部の先端部から落下してきても、隣接する囲いの境界部分上には落下せずに、直下のホッパ内に落下する。したがって、分散供給装置から送られてきた物品は、漏斗状の囲いにも引っ掛からずにホッパ内に供給される。
【図面の簡単な説明】
【００１９】
【図１】本発明に係る組合せ計量装置の概略の外観斜視図。
【図２】上記組合せ計量装置の配置構成図。
【図３】本発明に係る分散供給装置の一実施形態の部分外観構成図。
【図４】円錐体の断面図。
【図５】上記実施形態の分散フィーダと囲いの平面配置を示す部分平面図。
【図６】図５の分散フィーダと囲いを側面から見た部分側面図。
【発明を実施するための形態】
【００２０】
以下、図面を参照して本発明に係る組合せ計量装置の一実施形態と、そこに搭載される分散供給装置の一実施形態について説明する。なお、以下の実施形態は、本発明の技術的範囲を限定するものではない。
【００２１】
図１、図２において、組合せ計量装置Ｗは、上段に配置される分散供給装置１と、その下段に配置される駆動部Ｄと、駆動部Ｄの周囲に等間隔に配列される複数のホッパＨと、各ホッパＨから排出される物品を収集する集合シュートＣと、駆動部Ｄを支持する４本の支持脚Ｌと、支持脚Ｌを支持する本体Ｂとを備えている。
【００２２】
分散供給装置１は、図２、図３に示すように、中央の分散フィーダ２と、その周囲に放射状に配列される複数の放射フィーダ３と、分散フィーダ２に移動自在に被せられる円錐体４とを備える。また、分散フィーダ２は、エンボス加工が施されたステンレス製の円錐形状の分散テーブル２０と、その分散テーブル２０を上下方向に螺旋状往復運動させる電磁バイブレータ２１とで構成されている。また、各放射フィーダ３は、同じくエンボス加工が施されたステンレス製の扇状のトラフ３０と、該トラフ３０を放射方向に個別に振動させて、トラフ３０上の物品をホッパＨ側へ搬送する電磁バイブレータ３１とで構成されている。なお、分散テーブル２０を上下方向に螺旋状往復運動させる機構や、トラフ３０を放射方向に振動させてトラフ３０上の物品を搬送する機構は、周知な構成であるから、図では、それらを省略している。また、各電磁バイブレータ２１、３１は、防水カバー５で覆われて密封され、分散フィーダ２は、荷重検出器２３に支持されて、分散フィーダ２上に供給された物品の質量を検出するようになっている。
【００２３】
円錐体４は、図４に示すように、ポリウレタンシート等の柔軟な素材、例えば、バンコラン（登録商標）を円錐形状に丸めて内部を空洞にしたもので、頂角は鋭角に形成され、底辺の直径は、分散テーブル２０の直径よりも小径に形成されている。これを分散テーブル２０の頭頂部に被せると、円錐体４は、分散テーブル２０の振動によって、図３に示すように、頭頂部の突起、すなわち、ボルト２２の頭部を中心として分散テーブル２０上を矢印方向Ｆに旋回する。そのため、分散テーブル２０上に堆積した物品は、円錐体４の底部に押されて周縁の放射フィーダ３へと排出されていく。
【００２４】
各ホッパＨの内側に配置された駆動部Ｄには、各ホッパＨを支持する支持機構が取り付けられ、その内部には、各ホッパＨのゲートを開閉させる図示しないモータと、下段の計量ホッパＷＨに投入された物品の質量を検出する荷重検出器と、検出された荷重信号をデジタル量に変換する信号処理回路とが収納されている。また、各ホッパＨは、何れもエンボス加工が施されたステンレス板で構成され、上段のホッパＨは、物品を一時的に保持するプールホッパＰＨとされ、下段のホッパＨは、物品の質量を検出する計量ホッパＷＨとされている。そして、これらのホッパＨは、各放射フィーダ３の先端部下方に等間隔に配置されている。これらのホッパＨや駆動部Ｄは、何れも周知な構成であるから、図では、ホッパＨの支持機構やゲートＧの開閉機構、駆動部Ｄの内部構造等は、省略している。
【００２５】
集合シュートＣは、エンボス加工が施されたステンレス製の４つの分割シュートを集合させて漏斗状に形成したもので、各分割シュートは、４本の支持脚Ｌの間に上下方向に着脱可能に取り付けられている。そして、下段の計量ホッパＷＨから排出された物品を各分割シュートから下端部の漏斗状シュートＣ１に集合させ、そこから図示しない包装機に向けて物品を排出するようになっている。また、本体Ｂ内には、図示しない電源ユニットが格納されている。
【００２６】
図３において、分散フィーダ２の一部をなす分散テーブル２０は、なだらかな円錐形状に形成され、その頭頂部には貫通孔が形成され、そこにボルト２２が下方の図示しない電磁バイブレータ２１の可動部に捻じ込まれている。このボルト２２の頭が分散テール２０から飛び出ていることにより、円錐体４は、そのボルト２２の頭部（突起）を内側に抱いた状態でその突起を中心として傾斜状態で旋回する。
なお、図３では、中央の分散テーブル２と、手前側の放射フィーダ３と、それに対応させたプールホッパＰＨと、後述の囲い３５を示しているが、これらは図５に示すように、分散フィーダ２の回りに等間隔に配置される。
【００２７】
図３、図５において、各放射フィーダ３のトラフ３０は、物品を搬送する下り傾斜の平坦な搬送面３２と、向かって右側に山形状の側壁３３ａと、向かって左側に隣の側壁３３ａの下方に潜り込む垂直な側壁３３ｂとを備えている。そして、向かって右側の側壁３３ａは、それより右側に位置するトラフ３０の左側壁３３ｂの上に非接触状態で重なり、同じく向かって左側の側壁３３ｂは、それより左側に位置するトラフ３０の右側壁３３ａの下に非接触状態で重なっている。こうして、各トラフ３０は、それぞれの側壁３３ａ，３３ｂを隣のトラフ３０の各側壁３３ｂ、３３ａと上下にオーバーラップして非接触状態でドーナツ状に連なっている。これにより、各放射トラフ３０は、一連のドーナツ状の受け皿となり、分散フィーダ２から排出された物品を漏らさず受け取ってプールホッパＰＨへと個別に搬送するようになっている。
【００２８】
各トラフ３０の搬送面３２の先端部は、プールホッパＰＨの供給口に臨み、両サイドの側壁３３ａ、３３ｂは、各プールホッパＰＨ間の上方まで延びている。また、搬送面３２の先端部には、プールホッパＰＨの内側に臨む下り傾斜板３４が設けられ、両サイドの側壁３３ａ、３３ｂの延長部には、同じくプールホッパＰＨの供給口に臨む下り傾斜板３４ａ、３４ｂがそれぞれ設けられている。これにより、物品がトラフ３０の先端部に到達すると、傾斜板３４を滑走してプールホッパＰＨの供給口に排出される。また側壁３３ａ、３３ｂに沿って搬送されてきた物品が延長部に乗り上げても、それぞれの傾斜板３４ａ、３４ｂを介してプールホッパＰＨの供給口に排出される。
【００２９】
さらに、プールホッパＰＨの供給口の内側には、図３、図５、図６に示すように、漏斗状の囲い３５が着脱可能に取り付けられている。この囲い３５は、手前側のホームベース状のプレート３５ａと、その両サイドに連なる、内側に傾斜した、向かって右側の傾斜プレート３５ｂと左側の傾斜プレート３５ｃと、背面側のプレート３５ｄとで構成されている。さらに、左右の傾斜プレート３５ｂ、３５ｃの上縁と、背面側プレート３５ｄの上縁は、上方に位置する傾斜板３４、３４ａ、３４ｂの下側に位置している。そして、手前側のプレート３５ａには、漏斗状の囲い３５をプールホッパＰＨの上縁に引っ掛けるフック３６が取り付けられ、この囲い３５を持ち上げれば、プールホッパＰＨから外れるようになっている。なお、図６に示すように、背面側のプレート３５ｄには、ストッパ３７が設けられて、反対側のフック３６と協働して、囲い３５をプールホッパＰＨの供給口の上縁に保持するようになっている。また、背面側のプレート３５ｄの上縁は、トラフ３２先端部の傾斜板３４の下まで伸びている。
【００３０】
また、各囲い３５の左右の傾斜プレート３５ｂ、３５ｃの上縁は、隣の囲い３５の左右の傾斜プレート３５ｃ、３５ｂの上縁と上下に折り重なってリング状に連なっている。すなわち、図５において、向かって右から２番目の囲い３５の傾斜プレート３５ｂ、３５ｃの各上縁３８は、両隣の囲い３５のそれぞれの傾斜プレート３５ｂ、３５ｃの上縁の上に折り重なっている。同様に、右から４番目の囲い３５の傾斜プレート３５ｂ、３５ｃの各上縁３８も、両隣の囲い３５のそれぞれの傾斜プレート３５ｂ、３５ｃの上縁の上に折り重なっている。こうして、一つ置きの囲い３５の両傾斜プレート３５ｂ、３５ｃの上縁が両隣の囲い３５の傾斜プレート３５ｂ、３５ｃの上に重なることにより、プールホッパＰＨ間に物品が零れ落ちないようになっている。
【００３１】
また、上に折り重なった傾斜プレート３５ｂ、３５ｃの上縁３８は、山形に折り曲げられて稜線を形成している。この稜線３８（上縁）は、上方に位置する各側壁３３ａ、３３ｂの延長部に対して、周方向に所定角度ずれた位置にそれぞれ配置されている。これにより、例え側壁３３ａの延長部の先端から物品が落下しても、稜線３８上には落下せずに、直下の傾斜プレート３５ｂ上に落下するようになっている。また、延長部と連なる傾斜板３４ｂの先端部には、上向きの折り返し部３９が形成されているから、物品が延長部から傾斜板３４ｂへ搬送されてきても、折り返し部３９が物品の稜線３８（上縁）への落下を阻止する。こうして、側壁３３ａの延長部と稜線３８との位相のずれにより、物品が放射フィーダ３の何れに搬送されてきても、プールホッパＰＨ内に確実に投入されるようになっている。
【００３２】
なお、図６において、分散フィーダ２の右側には、図５で示す放射フィーダ３の左側側壁３３ｂの左側面を示し、左側には、図５の放射フィーダ３の右側側壁３３ａの右側面を示す。そして、この図から判るように、右側の側壁３３ｂは、トラフ３２と平行な下り傾斜に形成され、それと上下に重なる左側の側壁３３ａは、特に先端部において、延長部が略水平に形成されている。これにより、例え上下の側壁３３ａ、３３ｂ間に物品が挟まっても、それが先端部に搬送されれば、上下に重なる側壁３３ａ、３３ｂの間隔が次第に広がって、物品の挟み込みが解消されるようになっている。
【００３３】
運転に際しては、図２の検出器２３が分散フィーダ２上の物品の質量を検出し、その検出量が所定値以下であると、分散フィーダ２の上方に配置された図示しないベルトコンベヤを駆動させる。すると、ベルトコンベヤから物品が分散フィーダ２上に供給され、その供給量が所定値に達すると、ベルトコンベヤが停止制御される。こうして、ベルトコンベヤは、間歇的に駆動されて、分散フィーダ２上に物品が供給されていく。
【００３４】
一方、ベルトコンベヤから排出される物品は、分散フィーダ２の頭頂部に向けて排出されるから、ベルトコンベヤから排出された物品は、円錐体４に当たってバラケながら分散フィーダ２上に堆積する。そして、組合せ計量装置Ｗのサイクル動作に基づいて、分散フィーダ２が振動すると、円錐体４はその振動によって分散フィーダ２上を旋回するから、分散フィーダ２上に堆積した物品は、円錐体４に押されて周囲の放射フィーダ３へと排出されていく。
【００３５】
放射フィーダ３は、対応するホッパＨが空になると、所定の振幅でもって所定時間駆動され、それによって放射フィーダ２上の物品は、ホッパＨ側へ順次搬送されていく。そして、物品が放射フィーダ３の先端部に到達するとプールホッパＰＨに排出される。
【００３６】
こうして、プールホッパＰＨと計量ホッパＷＨに物品が順次供給され、組合せが成立して計量ホッパＷＨから物品が排出されると、空になった計量ホッパＷＨには、上段のプールホッパＰＨから物品が供給され、空になったプールホッパＰＨには、それに対応する上段の放射フィーダ３から物品が供給される。
こうしたサイクル動作を繰り返しながら、一定サイクルで組合せ計量動作を繰り返して目標質量の物品を集合シュートＣへ排出していく。
【００３７】
以上、本発明の一実施形態を説明したが、本発明はこれに限定されず、他の実施形態も採用可能である。例えば、この実施形態では、円錐体４をポリウレタンシートで形成したが、これに代えて、硬質の樹脂で円錐体４を形成しても良い。この場合も、円錐体４内を空洞にして物品に押し負けない程度の軽さにしておく。また、計量ホッパＷＨから排出された物品が集合シュートＣの内面に付着するのを防止するために、集合シュートＣの上縁にエアー吹き付け機構を設けて、滑落する物品の背後からエアーを吹き付けるようにしても良い。  
【産業上の利用可能性】
【００３８】
以上のように、本発明によれば、キャベツの千切りのように、振動を吸収して搬送し難い物品であっても、それを確実に分散して下流側へ搬送することができるので、カット野菜等の袋詰め商品を製造する加工食品分野において広く利用可能である。
【符号の説明】
【００３９】
１      分散供給装置
２      分散フィーダ
３      放射フィーダ
４      円錐体
２２      突起（ボルトの頭部）
３０      トラフ
３１      電磁バイブレータ
３２      搬送面
３３ａ    側壁
３３ｂ    側壁
Ｗ      組合せ計量装置
Ｈ      ホッパ
３４      下り傾斜板
３４ａ    下り傾斜板
３４ｂ    下り傾斜板
３５      囲い
３５ｂ    傾斜プレート（側面）
３５ｃ    傾斜プレート（側面）
３８      上縁（稜線）
【図１】
0006454531.tif 000002
【図２】
0006454531.tif 000003
【図３】
0006454531.tif 000004
【図４】
0006454531.tif 000005
【図５】
0006454531.tif 000006
【図６】
0006454531.tif 000007